(57)【要約】【課題】  所望のコンテンツデータを適切に取得する記録再生装置を提供する。【解決手段】  記録再生装置２００の入力手段２６０での設定入力による所定の内容に関するテレビ放送番組のコンテンツデータを受信・再生させる旨の要求を認識すると、検索要求のキーワードに関連する関連キーワードを認識する。キーワードおよび関連キーワードを含む番組情報のうち、関連キーワードのキーワードとの履歴となる出現頻度に基づく優先度に応じて番組情報を絞り込む。検出する番組情報の内容が優先度に応じた内容となり、不用意に番組情報を検出することを防止し、適切に番組情報を選出でき、適切なコンテンツデータを取得させる制御が容易となる。【選択図】  図１
2005348071.tif 000002
【特許請求の範囲】
【請求項１】
情報の内容に関する内容情報に基づいて所定の内容の前記情報を情報取得手段にて取得させる情報処理装置であって、
前記情報取得手段にて所定の内容の前記情報を取得させる旨の要求であって前記所定の内容に対応するキーワード情報を有した要求情報を取得する要求情報取得手段と、
前記要求情報のキーワード情報のキーワードに関連する関連キーワードに関する関連キーワード情報を取得する関連キーワード取得手段と、
前記関連キーワードの優先度に関する優先度情報を取得する優先度情報取得手段と、
前記優先度情報に基づいて、前記要求情報のキーワード情報のキーワードおよび前記関連キーワード情報の関連キーワードのうちの少なくともいずれか１つを含む内容の前記内容情報を前記優先度に応じて検索する内容情報検索手段と、
前記検索された内容情報に基づいて前記情報取得手段にて前記情報を取得させる制御をする情報取得制御手段と、
を具備したことを特徴とした情報処理装置。
【請求項２】
請求項１に記載の情報処理装置であって、
前記関連キーワード取得手段は、前記キーワードに関連する関連キーワードに関する関連キーワード情報が前記キーワード情報に関連付けられたデータ構造の関連ワード情報を複数記録するテーブル構造に構成された関連ワード情報記憶領域に基づいて、前記要求情報のキーワード情報に関連付けられた前記関連キーワード情報を取得する
ことを特徴とした情報処理装置。
【請求項３】
請求項２に記載の情報処理装置であって、
前記優先度情報取得手段は、前記関連ワード情報記憶領域における前記関連ワード情報に関連付けられた優先度情報を読み出して取得する
ことを特徴とした情報処理装置。
【請求項４】
請求項１に記載の情報処理装置であって、
前記関連キーワード取得手段は、前記要求情報のキーワード情報のキーワードを含む内容情報を取得し、この取得した内容情報に含まれるキーワードを抽出して関連キーワードとする
ことを特徴とした情報処理装置。
【請求項５】
請求項１ないし請求項４のいずれかに記載の情報処理装置であって、
前記優先度情報取得手段は、前記情報取得手段にて取得された前記情報に対応する内容情報に含まれる関連キーワードの出現頻度に関する頻度情報を演算するワード頻度演算手段と、前記頻度情報に基づいて優先度を設定する優先度設定手段と、を備えた
ことを特徴とした情報処理装置。
【請求項６】
請求項５に記載の情報処理装置であって、
前記ワード頻度演算手段は、前記情報取得手段による前記情報の取得の履歴に基づく前記関連キーワードの出現頻度を演算して頻度情報を演算する
ことを特徴とした情報処理装置。
【請求項７】
請求項１ないし請求項６のいずれかに記載の情報処理装置であって、
前記優先度情報取得手段は、前記情報の処理を実施する情報処理手段で処理される前記情報に対応する内容情報に含まれる関連キーワードの出現頻度に関する頻度情報を演算するワード頻度演算手段と、前記頻度情報に基づいて優先度を設定する優先度設定手段と、を備えた
ことを特徴とした情報処理装置。
【請求項８】
請求項７に記載の情報処理装置であって、
前記ワード頻度演算手段は、前記情報処理手段による前記情報の処理の履歴に基づく前記関連キーワードの出現頻度を演算して頻度情報を演算する
ことを特徴とした情報処理装置。
【請求項９】
請求項５ないし請求項８のいずれかに記載の情報処理装置であって、
前記優先度設定手段は、前記ワード頻度演算手段にて演算する頻度情報に対応する前記関連キーワードの出現頻度が所定期間以上変動しない場合、前記優先度を低減させる設定をする
ことを特徴とした情報処理装置。
【請求項１０】
請求項１ないし請求項９のいずれかに記載の情報処理装置であって、
前記内容情報検索手段は、前記要求情報のキーワード情報のキーワードおよび前記関連キーワード情報の関連キーワードのうちの少なくともいずれか１つを含む内容の前記内容情報における内容優先度に関する内容優先度情報を前記優先度に基づいて演算する内容優先度演算手段と、前記内容優先度情報に基づいて前記内容情報を選出する内容情報選出手段と、を備えた
ことを特徴とした情報処理装置。
【請求項１１】
請求項１ないし請求項１０のいずれかに記載の情報処理装置であって、
前記内容情報検索手段は、検索する内容情報における前記情報が配信または発信される時間に関する配信時間情報を認識する配信時間認識手段と、前記配信時間情報に基づいて配信される時間の重畳状況を判定する判定手段と、前記判定により配信される時間が重畳される前記内容情報のいずれか１つを前記優先度に応じて選択する内容情報選択手段と、を備えた
ことを特徴とした情報処理装置。
【請求項１２】
請求項１ないし請求項１１のいずれかに記載の情報処理装置であって、
前記情報取得制御手段は、前記情報取得手段にて取得した前記情報を記憶する記憶手段における記憶可能領域を認識する記憶可能領域認識手段と、前記認識した記憶可能領域の大きさに応じて前記内容情報検索手段にて検索された内容情報を特定する内容情報特定手段と、を備えた
ことを特徴とした情報処理装置。
【請求項１３】
請求項１ないし請求項１２のいずれかに記載の情報処理装置であって、
前記内容情報検索手段にて検索された前記内容情報、前記キーワード情報および前記関連キーワード情報を入力操作により選択可能に報知手段にて報知させる報知制御手段を具備し、
前記情報取得制御手段は、入力操作により選択された前記内容情報に基づいて前記情報取得手段にて前記情報を取得させる制御をする
ことを特徴とした情報処理装置。
【請求項１４】
請求項１ないし請求項１３のいずれかに記載の情報処理装置であって、
前記情報取得手段にて取得した前記情報を記憶する記憶手段に記憶された前記情報を削除する情報削除手段による前記情報の削除を、前記優先度情報に基づいて制御する情報削除制御手段を具備した
ことを特徴とした情報処理装置。
【請求項１５】
請求項１４に記載の情報処理装置であって、
前記情報削除手段により前記情報を削除する旨を報知手段に報知させる報知制御手段を具備し、
前記情報削除制御手段は、前記報知手段による報知に基づいて入力操作された前記情報の削除を実行させる旨の要求情報を認識すると、前記情報削除手段による前記情報の削除を実行させる
ことを特徴とした情報処理装置。
【請求項１６】
請求項１４または請求項１５に記載の情報処理装置であって、
前記優先度情報取得手段は、前記情報削除制御手段により削除された前記情報に対応する関連キーワード情報の優先度を低減させる優先度調整手段を具備した
ことを特徴とした情報処理装置。
【請求項１７】
請求項１３ないし請求項１６のいずれかに記載の情報処理装置であって、
前記報知制御手段は、前記優先度情報に応じた報知形態で報知させる
ことを特徴とした情報処理装置。
【請求項１８】
請求項１ないし請求項１７のいずれかに記載の情報処理装置であって、
前記情報は、放送または配信されるコンテンツあるいは私的に作成され共有可能なコンテンツのうちのいずれかであり、
前記内容情報は、前記コンテンツの名称および内容のうちの少なくともいずれか一方に関する情報である
ことを特徴とした情報処理装置。
【請求項１９】
請求項１ないし請求項１８のいずれかに記載の情報処理装置と、
前記情報を取得する情報取得手段と、
を具備したことを特徴とした情報取得装置。
【請求項２０】
演算手段により、情報の内容に関する内容情報に基づいて所定の内容の前記情報を情報取得手段で取得させる情報処理方法であって、
前記情報取得手段にて所定の内容の前記情報を取得させる旨の要求情報に含まれる前記所定の内容に対応するキーワードに関するキーワード情報を取得し、
前記キーワード情報のキーワードに関連する関連キーワードに関する関連キーワード情報を認識し、
この認識した関連キーワード情報の関連キーワードの優先度に関する優先度情報を認識し、
この認識した優先度情報に基づいて、前記要求情報のキーワード情報のキーワードおよび前記認識した関連キーワード情報の関連キーワードのうちの少なくともいずれか１つを含む内容の前記内容情報を前記優先度に応じて検索し、
この検索した内容情報に基づいて前記情報取得手段にて前記情報を取得させる処理をする
ことを特徴とする情報処理方法。
【請求項２１】
演算手段を、請求項１ないし請求項１８のいずれかに記載の情報処理装置として機能させる
ことを特徴とした情報処理プログラム。
【請求項２２】
請求項２０に記載の情報処理方法を演算手段に実行させる
ことを特徴とした情報処理プログラム。
【請求項２３】
請求項２１または請求項２２に記載の情報処理プログラムが演算手段に読取可能に記録された
ことを特徴とした情報処理プログラムを記録した記録媒体。
【発明の詳細な説明】
【技術分野】
【０００１】
本発明は、情報の内容に関する内容情報に基づいて所定の内容の情報を情報取得手段で取得させる情報処理装置、その方法、そのプログラム、そのプログラムを記録した記録媒体、および、情報取得装置に関する。
【背景技術】
【０００２】
従来、例えば放送番組を記録する記録装置として、所望の番組を自動的に録画予約する装置が知られている。このような記録装置として、番組の内容に関する電子番組案内に基づいて、利用者が設定した録画したい番組に関するキーワードに対応する番組を自動的に録画する構成が知られている（例えば、特許文献１参照）。
【０００３】
特許文献１に記載のものは、ユーザ端末からユーザが所望する放送コンテンツを検索するための検索キーワードを取得し、正式名称に通称や俗称、省略されうる名称などが関連付けられた検索キーワード辞書データベースから、検索キーワードに関連する検索関連キーワードを検索する。そして、検索キーワードおよび検索関連キーワードに基づいて、ＥＰＧデータとのマッチングにより一致するキーワードを含むコンテンツ情報を検索一覧画面表示させる構成が採られている。
【０００４】
【特許文献１】特開２００３−２８８３５９号公報（第３頁左欄−第８頁左欄）
【発明の開示】
【発明が解決しようとする課題】
【０００５】
しかしながら、上記特許文献１に記載のようなキーワードに関連する検索関連キーワードをも検索対象とする従来の構成では、検索される候補の数が多大となり、利用者が所望する放送番組を特定することが煩雑となる問題点が一例として挙げられる。
【０００６】
本発明では、このような点に鑑み、所定の情報の適切な取得を可能とする情報処理装置、その方法、そのプログラム、そのプログラムを記録した記録媒体、および、情報取得装置を提供することを目的とする。
【課題を解決するための手段】
【０００７】
請求項１に記載の発明は、情報の内容に関する内容情報に基づいて所定の内容の前記情報を情報取得手段にて取得させる情報処理装置であって、前記情報取得手段にて所定の内容の前記情報を取得させる旨の要求であって前記所定の内容に対応するキーワード情報を有した要求情報を取得する要求情報取得手段と、前記要求情報のキーワード情報のキーワードに関連する関連キーワードに関する関連キーワード情報を取得する関連キーワード取得手段と、前記関連キーワードの優先度に関する優先度情報を取得する優先度情報取得手段と、前記優先度情報に基づいて、前記要求情報のキーワード情報のキーワードおよび前記関連キーワード情報の関連キーワードのうちの少なくともいずれか１つを含む内容の前記内容情報を前記優先度に応じて検索する内容情報検索手段と、前記検索された内容情報に基づいて前記情報取得手段にて前記情報を取得させる制御をする情報取得制御手段と、を具備したことを特徴とした情報処理装置である。
【０００８】
請求項１９に記載の発明は、請求項１ないし請求項１８のいずれかに記載の情報処理装置と、前記情報を取得する情報取得手段と、を具備したことを特徴とした情報取得装置である。
【０００９】
請求項２０に記載の発明は、演算手段により、情報の内容に関する内容情報に基づいて所定の内容の前記情報を情報取得手段で取得させる情報処理方法であって、前記情報取得手段にて所定の内容の前記情報を取得させる旨の要求情報に含まれる前記所定の内容に対応するキーワードに関するキーワード情報を取得し、前記キーワード情報のキーワードに関連する関連キーワードに関する関連キーワード情報を認識し、この認識した関連キーワード情報の関連キーワードの優先度に関する優先度情報を認識し、この認識した優先度情報に基づいて、前記要求情報のキーワード情報のキーワードおよび前記認識した関連キーワード情報の関連キーワードのうちの少なくともいずれか１つを含む内容の前記内容情報を前記優先度に応じて検索し、この検索した内容情報に基づいて前記情報取得手段にて前記情報を取得させる処理をすることを特徴とする情報処理方法である。
【００１０】
請求項２１に記載の発明は、演算手段を、請求項１ないし請求項１８のいずれかに記載の情報処理装置として機能させることを特徴とした情報処理プログラムである。
【００１１】
請求項２２に記載の発明は、請求項２０に記載の情報処理方法を演算手段に実行させることを特徴とした情報処理プログラムである。
【００１２】
請求項２３に記載の発明は、請求項２１または請求項２２に記載の情報処理プログラムが演算手段に読取可能に記録されたことを特徴とした情報処理プログラムを記録した記録媒体である。
【発明を実施するための最良の形態】
【００１３】
以下に、本発明の一実施の形態を図面に基づいて説明する。本実施の形態では、本発明の情報処理装置を備えた情報取得装置としての記録再生装置を例示して説明するが、これに限らず、情報を記録するのみの記録装置、さらには記録装置や記録再生装置に情報を記録させる独立した情報処理装置、記録する構成を備えないテレビジョンなどの受信機などで情報の取得である受信を制御する情報処理装置などとしても適用できる。また、本実施の形態において、情報としてテレビ放送番組のコンテンツデータを内容情報としての放送番組の番組情報である例えばＥＰＧ（Electric Program Guide）である電子番組案内に基づいて取得する処理に関して説明するが、これに限らず、ラジオ放送番組や衛星放送番組などの放送されるコンテンツ、配信される音楽や映像などのコンテンツ、ゲームソフトウェアなどの各種プログラムなどの私的に作成され共有可能なコンテンツなどをも情報の対象とすることができ、各情報の名称やその内容などを有する案内に関する案内情報に基づいて取得するいずれの構成が適用できる。また、情報を記録する処理としてコンテンツを録画する処理と適宜称し、情報の処理としてコンテンツを再生する処理と適宜称して説明する。図１は、本実施の形態におけるコンテンツ記録再生システムの概略構成を示すブロック図である。図２は、番組情報テーブルの概略構成を示す模式図である。図３は、録画予約リスト情報の概略構成を示す模式図である。図４は、コンテンツ管理リスト情報の概略構成を示す模式図である。図５は、キーワード履歴情報の概略構成を示す模式図である。図６は、記録再生装置を構成するＣＰＵの概略構成を示す模式図である。
【００１４】
〔コンテンツ記録再生システムの構成〕
図１において、１００はコンテンツ記録再生システム（以下、記録再生システムと称す）で、この記録再生システムは、例えば情報であるテレビ放送番組などのコンテンツの音声データ、映像データ、データ放送用データなどを有するコンテンツデータを記録したり、記録したコンテンツデータを再生したりするシステムである。そして、記録再生システム１００は、情報記憶装置としての記録再生装置２００と、情報処理手段としての出力装置３００と、を備えている。
【００１５】
出力装置３００は、例えばパーソナルコンピュータ、テレビ、携帯電話、ＰＨＳ（Personal Handyphone System）、ＰＤＡ（Personal Digital Assistant）などが例示できる。この出力装置３００は、記録再生装置２００から出力されるコンテンツデータを受信して出力する。そして、この出力装置３００としては、例えば、音声データを音声として出力させる構成、あるいは、映像データ、放送用データ、ＥＰＧデータ、合成データなどを画面表示させる構成、さらには図１に示すように、音声出力する構成である音声出力部３１０と画面表示させる構成である表示部３２０の双方を備えた構成など、いずれの構成が適用できる。
【００１６】
記録再生装置２００は、ＴＳ（Transport Stream）として配信される音声データ、映像データ、データ放送用データなどを有するコンテンツデータを取得して記録させるとともに、出力装置３００で出力させる処理をする。また、記録再生装置２００は、記録させたコンテンツデータを適宜再生して出力装置３００で出力させる処理をする。さらに、記録したコンテンツデータを適宜自動消去する。そして、この記録再生装置２００は、情報取得手段および内容情報取得手段として機能する通信手段２１０と、デマルチプレクサ（Demultiplexer；Ｄｅｍｕｘ）２２０と、デコーダ２３０と、オンスクリーンディスプレイ（On Screen Display；ＯＳＤ）２４０と、記録再生処理手段２５０と、入力手段２６０と、記憶手段としてのハードディスク（Hard Disk Drive；ＨＤＤ）２７０と、メモリ２８０と、演算手段としての情報処理装置であるＣＰＵ（Central Processing Unit）２９０と、などを備えている。
【００１７】
通信手段２１０は、外部から入力されるコンテンツデータを取得したり、取得しているコンテンツデータを外部へ適宜出力したりする。そして、この通信手段２１０としては、例えば、地上波デジタル放送や衛星デジタル放送などの放送波を受信する構成、あるいは、デジタル信号として送信されるＴＳや後述するパーシャルＴＳなどを取得して記録再生装置２００内外へ送出する構成、さらには、図１に示すように、放送波を取得するアンテナ２１１Ａを有する構成であるネットワークインターフェースモジュール（Network Interface Module；ＮＩＭ）２１１およびＴＳやパーシャルＴＳを取得して適宜処理する構成であるハイスピードインターフェース（High Speed Interface；ＨＳＩ）２１２の双方を備えた構成など、いずれの構成が適用できる。
【００１８】
Ｄｅｍｕｘ２２０は、ＴＳを取得して、このＴＳからＴＳパケットを適宜分離して出力する。このＤｅｍｕｘ２２０には、デコーダ２３０と、記録再生処理手段２５０と、ＣＰＵ２９０と、などが接続されている。Ｄｅｍｕｘ２２０は、ＣＰＵ２９０の制御により、ＮＩＭ２１１やＨＳＩ２１２からＴＳを適宜取得する。さらに、このＴＳから選択されているコンテンツに対応した各種データのＴＳパケットを取得する。具体的には、音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を取得する。そして、Ｄｅｍｕｘ２２０は、これら取得した音声パケットと、映像パケットと、データパケットと、をデコーダ２３０へ出力する。
【００１９】
ここで、ＥＰＧデータは、ＮＩＭ２１１で取得可能な各ＴＳのテレビ放送番組などのコンテンツに関する情報が、例えばＢＭＬ（Broadcast Markup Language）やＸＭＬ（eXtensible Markup Language）などのテキスト形式で記載されたデータである。すなわち、ＥＰＧデータは、詳細は後述するが、番組名、番組の内容などに関する番組記述、放送開始日時、番組時間の長さ、チャンネル番号、ジャンル、シリーズ名などの情報が、１つのデータ構造として構成されている。
【００２０】
また、Ｄｅｍｕｘ２２０は、ＣＰＵ２９０の制御により、取得したＴＳから選択されたコンテンツに対応した各ＴＳパケットを取得すると、これら各ＴＳパケットを一連のデータ列構造のＴＳ、すなわちパーシャルＴＳに再構成する。そして、このパーシャルＴＳを記録再生処理手段２５０へ出力する。さらに、Ｄｅｍｕｘ２２０は、ＣＰＵ２９０の制御により、ＨＳＩ２１２や記録再生処理手段２５０からパーシャルＴＳを適宜取得する。そして、このパーシャルＴＳを、音声パケットと、映像パケットと、データパケットと、に分離してデコーダ２３０へ出力する。
【００２１】
デコーダ２３０は、Ｄｅｍｕｘ２２０と、ＯＳＤ２４０と、ＣＰＵ２９０と、出力装置３００と、などに接続され、Ｄｅｍｕｘ２２０から取得した各パケットを適宜復調し、ＯＳＤ２４０や出力装置３００へ適宜出力する。このデコーダ２３０としては、例えば、音声データを復調する構成、映像データを復調する構成、データ放送用データやＥＰＧデータなどを復調する構成、さらには、これらの構成を組み合わせた構成、そしてさらには、図１に示すように、音声、映像、データを復調する構成であるオーディオデコーダ（Audio Decoder；ＡＤｅｃ）２３１、ビデオデコーダ（Video Decoder；ＶＤｅｃ）２３２、および、データデコーダ（Data Decoder；ＤＤｅｃ）２３３を備えた構成など、いずれの構成が適用できる。
【００２２】
ＯＳＤ２４０は、ＣＰＵ２９０と、出力装置３００の表示部３２０と、などに接続されている。このＯＳＤ２４０は、ＣＰＵ２９０の制御により、ＶＤｅｃ２３２から映像データを、ＤＤｅｃ２３３からデータ放送用データやＥＰＧデータなどを適宜取得し、例えば映像、字幕、番組表などを適宜選択的に重畳あるいは並べて表示させる合成データを生成する。この合成データは、出力装置３００の表示部３２０へ送信され、適宜出力される。なお、このＯＳＤ２４０を有しない構成としてもよい。
【００２３】
記録再生処理手段２５０は、ＨＤＤ２７０と、ＣＰＵ２９０と、などに接続されている。この記録再生処理手段２５０は、Ｄｅｍｕｘ２２０からパーシャルＴＳを適宜取得して、ＨＤＤ２７０へ記憶させる。また、ＨＤＤ２７０へ記憶させたパーシャルＴＳを適宜取得して、ＨＳＩ２１２やＤｅｍｕｘ２２０へ出力する。そして、この記録再生処理手段２５０は、記録部２５１と、再生部２５２と、を備えている。
【００２４】
記録部２５１は、Ｄｅｍｕｘ２２０からのパーシャルＴＳをＨＤＤ２７０へ適宜記憶させる。そして、この記録部２５１は、バッファ２５１Ａと、記録処理部２５１Ｂと、などを備えている。バッファ２５１Ａは、Ｄｅｍｕｘ２２０からのパーシャルＴＳを一時的に記憶する。記録処理部２５１Ｂは、ＣＰＵ２９０の制御により、Ｄｅｍｕｘ２２０からパーシャルＴＳを取得し、バッファ２５１Ａに適宜読み出し可能に記憶させる。そして、バッファ２５１Ａに記憶させたパーシャルＴＳを適宜読み出して、ＨＤＤ２７０へ出力する。
【００２５】
再生部２５２は、ＨＤＤ２７０へ記憶させたパーシャルＴＳをＨＳＩ２１２やＤｅｍｕｘ２２０へ適宜出力する。そして、この再生部２５２は、バッファ２５２Ａと、再生処理部２５２Ｂと、などを備えている。バッファ２５２Ａは、ＨＤＤ２７０からのパーシャルＴＳを一時的に記憶する。再生処理部２５２Ｂは、ＣＰＵ２９０の制御により、ＨＤＤ２７０からパーシャルＴＳを取得し、バッファ２５２Ａに適宜読み出し可能に記憶させる。そして、バッファ２５２Ａに記憶させたパーシャルＴＳを適宜読み出して、ＨＳＩ２１２やＤｅｍｕｘ２２０へ出力する。
【００２６】
入力手段２６０は、ＣＰＵ２９０などに接続されている。この入力手段２６０は、図示しないケース体の例えば正面に臨んで入力操作可能に配設された図示しない各種操作ボタンや操作つまみなどを有している。この操作ボタンや操作つまみの入力操作の内容としては、例えば記録再生装置２００の動作内容の設定などの設定事項である。具体的には、コンテンツの録画や再生に関する設定、ＮＩＭ２１２で受信するＴＳの設定などが例示できる。また、入力手段２６０は、入力操作に応じて、録画や再生の実施を要求する旨の詳細は後述する要求情報を生成する手段としても機能する。そして、入力手段２６０は、設定事項の入力操作により、各種情報を操作信号としてＣＰＵ２９０へ送信して設定させる。ここで、入力手段２６０としては、例えば図示しないリモートコントローラ（以下、リモコンと称す）より赤外線を介して送信される各種情報を受信して、この各種情報を操作信号としてＣＰＵ２９０へ送信するリモコン受光部を備えた構成などとしてもよい。
【００２７】
ＨＤＤ２７０は、ＣＰＵ２９０などに接続されている。このＨＤＤ２７０は、ＡＴＡ（AT Attachment）インターフェースにより制御される。なお、ここではＨＤＤ２７０がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。また、ＨＤＤ２７０の代わりに、ＤＶＤ（Digital Versatile Disc）などの光ディスク、光磁気ディスク、メモリカードなどの着脱可能、さらには固定のメモリなど、各種記録媒体に各種情報を読み出し可能に記憶するドライブやドライバなどを備えた構成、さらにはそれらを複数組み合わせた構成などとしてもよい。そして、ＨＤＤ２７０は、記録部２５１から入力されるコンテンツのパーシャルＴＳ、すなわちコンテンツデータやＥＰＧデータなどを適宜読み出し可能に記憶する。
【００２８】
すなわち、ＨＤＤ２７０には、コンテンツデータを記憶する図示しないデータ記憶領域と、ＥＰＧデータを図２に示すような番組情報テーブル４００として記憶する図示しないＥＰＧ記憶領域と、を備えている。また、ＨＤＤ２７０は、詳細は後述するが、キーワード情報から関連キーワード情報を抽出し、優先度を演算するワード情報テーブルの記憶領域も備えている。
【００２９】
番組情報テーブル４００は、ＯＳＤ２４０から出力されるＥＰＧデータに記載されたＥＰＧに基づいて生成される。ここで、各放送局から発信される放送波に含まれるＥＰＧは、その放送局で放送予定のテレビ放送番組を中心とした番組情報である。番組情報テーブル４００は、このような各放送局のＥＰＧを組み合わせたテーブル構造としてＥＰＧ記憶領域に記憶される。そして、この番組情報テーブル４００を記憶するＥＰＧ記憶領域は、例えば、テレビ放送番組の放送チャンネルに関するチャンネル情報４２０と、番組基本情報４３０と、などが関連付けられて１つのデータ構造として構成される内容情報でもある番組情報４１０を複数記録するテーブル構造に構成されている。
【００３０】
チャンネル情報４２０は、テレビ放送番組が放送されるチャンネルに関する情報である。このチャンネル情報４２０は、テレビ放送番組が放送されるエリアによってそれぞれ個別に設定される。
【００３１】
番組基本情報４３０は、テレビ放送番組の放送時間や、番組内容に関する詳細な情報などが記録されている。そして、番組基本情報４３０は、例えば各番組基本情報４３０に付与される固有の識別情報である番組ＩＤ情報４３１と、番組開始時刻情報４３２と、番組終了時刻情報４３３と、番組タイトル情報４３４と、番組サブタイトル情報４３５と、番組ジャンル情報４３６と、番組記述情報４３７と、などを備え、１つのデータ構造として構成されている。この番組基本情報４３０に記載される各種情報は、例えばテキスト形式すなわち文字列の簡単な構造で記述されている。なお、番組ＩＤ情報４３１は、チャンネル情報や番組開始情報にて特定できるため、備えない構成としてもよい。
【００３２】
番組開始時刻情報４３２は、テレビ放送番組の放送が開始される予定時刻に関する情報である。この番組開始時刻情報４３２には、テレビ放送番組が放送される年月日、および時刻が記載されている。この番組開始時刻情報４３２は、後述する録画予約情報リストの生成、および記録再生処理手段２５０の記録部２５１におけるテレビ放送番組の録画開始の処理において参照される。
【００３３】
番組終了時刻情報４３３は、テレビ放送番組の放送が終了する予定時刻に関する情報である。この番組終了時刻情報４３３には、テレビ放送番組の放送が終了する年月日、および時刻が記載されている。この番組終了時刻情報４３３は、記録再生処理手段２５０の記録部２５１におけるテレビ放送番組の録画の終了処理において参照される。
【００３４】
番組タイトル情報４３４は、テレビ放送番組の番組名や、タイトル名などの名称に関する情報である。番組サブタイトル情報４３５は、テレビ放送番組のサブタイトル名などの名称に関する情報である。
【００３５】
番組ジャンル情報４３６は、テレビ放送番組を内容毎に種別であるジャンル分けした場合に、どのジャンルに属するかを記述した情報である。このジャンルとしては、例えば、「バラエティ」、「ドラマ」、「映画」、「報道」、「ニュース」、「スポーツ」などが例示できる。また、番組ジャンル情報４３６として、例えば「バラエティ」に対して、「歌謡」、「演芸」などの小分類としてさらにジャンル分けされた情報が関連付けられていてもよい。
【００３６】
番組記述情報４３７は、例えばテレビ放送番組の放送内容を簡単に説明した記述、あるいは放送番組のあらすじ、また、出演者や監督、脚本家などの個人名称などのテレビ放送番組の詳細な内容がテキスト形式で記述された情報である。
【００３７】
メモリ２８０は、ＮＩＭ２１１から出力されるＴＳから所望のコンテンツデータを取得して記録する際や、記録したコンテンツデータを再生する際に必要な各種データなどを適宜読み出し可能に記憶する。また、メモリ２８０は、例えば図３に示すような録画予約リスト情報５００と、図４に示すようなコンテンツ管理リスト情報６００と、図５に示すようなキーワード履歴情報７００と、などを適宜読み出し可能に記憶する。
【００３８】
録画予約リスト情報５００は、手動予約録画や自動予約録画のリストに関する情報である。この録画予約リスト情報５００は、例えば予約数情報５１０と、少なくとも１つの予約情報５２０と、などが１つのデータ構造として関連付けられて構成されている。
【００３９】
予約数情報５１０は、予約情報５２０の総数に関する情報である。この予約数情報５１０は、ＣＰＵ２９０による手動録画予約や自動録画予約が追加される設定により１だけ加算され、手動録画予約や自動録画予約に基づいた録画が終了した際などに１だけ減算される。
【００４０】
予約情報５２０は、手動録画予約または自動録画予約に関する情報である。この予約情報５２０は、ＣＰＵ２９０により、手動録画予約や自動録画予約が設定された際に録画予約リスト情報５００に組み込まれ、手動録画予約や自動録画予約に基づいた録画が終了した際などに録画予約リスト情報５００から削除される。そして、予約情報５２０は、録画基本情報５２１と、自動録画予約フラグ５２２と、などが１つのデータ構造として関連付けられて構成されている。
【００４１】
録画基本情報５２１は、手動予約録画処理や自動予約録画処理を実施するために利用される各種情報である。この録画基本情報５２１は、例えば、録画開始日時と、録画終了日時と、チャンネル番号と、などが１つのデータ構造として関連付けられて構成されている。そして、この録画基本情報５２１は、ＣＰＵ２９０により適宜変更される。
【００４２】
自動録画予約フラグ５２２は、録画基本情報５２１に基づく録画処理が自動予約録画処理か否かを示すフラグ情報である。例えば、自動録画予約フラグ５２２が「０」であれば自動予約録画処理ではなく手動録画予約処理であることを示し、「１」であれば自動録画予約処理であることを示す。
【００４３】
コンテンツ管理リスト情報６００は、ＨＤＤ２７０に記録されたコンテンツに対応する情報のリストに関する情報である。このコンテンツ管理リスト情報６００は、少なくとも１つのコンテンツ管理情報６１０が１つのデータ構造として関連付けられて構成されている。
【００４４】
コンテンツ管理情報６１０は、ＣＰＵ２９０により、ＨＤＤ２７０にコンテンツが記録された際にコンテンツ管理リスト情報６００に組み込まれ、ＨＤＤ２７０からコンテンツが消去された際にコンテンツ管理リスト情報６００から削除される。そして、コンテンツ管理情報６１０は、例えばコンテンツナンバ６１１と、データ属性情報としての自動消去対象フラグ６１２と、残存時間情報６１３と、期間計時開始情報６１４と、処理状況情報としてのアクセスフラグ６１５と、処理状況情報としての内容頻度情報であるアクセス回数情報６１６と、が１つのデータ構造として関連付けられて構成されている。また、コンテンツ管理情報６１０には、そのコンテンツに対応する番組基本情報４３０や、その番組基本情報４３０を関連付ける例えば番組ＩＤ情報４３１が関連付けられている。すなわち、ＨＤＤ２７０に記録されているコンテンツデータについての内容を確認可能となっている。
【００４５】
コンテンツナンバ６１１は、ＨＤＤ２７０に記録されたコンテンツに固有に付与された番号に関する情報である。なお、コンテンツナンバ６１１の代わりに、コンテンツに固有に付与された例えば名称などを示す情報を用いる構成などとしてもよい。
【００４６】
自動消去対象フラグ６１２は、コンテンツナンバ６１１により特定されるコンテンツが、ＣＰＵ２９０により自動消去される対象か否かを示すフラグ情報である。例えば、自動消去対象フラグ６１２が「０」であれば自動消去の対象ではないことを示し、「１」であれば自動消去の対象であることを示す。この自動消去対象フラグ６１２は、ＣＰＵ２９０により適宜再設定される。
【００４７】
残存時間情報６１３は、コンテンツナンバ６１１により特定されるコンテンツを自動消去するまでの残存時間に関する情報である。この残存時間情報６１３は、ＣＰＵ２９０により適宜変更される。
【００４８】
期間計時開始情報６１４は、予め設定された期間Ｔの計時を開始した日時である期間計時開始日時に関する情報である。この期間計時開始日時は、コンテンツナンバ６１１により特定されるコンテンツのデータ記憶日時としての録画終了日時、または、残存時間情報６１３がＣＰＵ２９０により変更された際の日時である。この期間計時開始情報６１４は、ＣＰＵ２９０により適宜変更される。
【００４９】
アクセスフラグ６１５は、コンテンツナンバ６１１により特定されるコンテンツの再生処理や編集処理などが少なくとも１回は実施されたか否か、すなわちコンテンツへのアクセスが少なくとも１回は実施されたか否かを示すフラグ情報である。具体的には、アクセスフラグ６１５が「０」であればアクセスが１回も実施されていないことを示し、「１」であればアクセスが少なくとも１回は実施されていることを示す。そして、このアクセスフラグ６１５は、ＣＰＵ２９０により適宜再設定される。
【００５０】
アクセス回数情報６１６は、コンテンツナンバ６１１により特定されるコンテンツへのアクセス回数に関する情報である。このアクセス回数情報６１６は、ＣＰＵ２９０により適宜変更される。
【００５１】
キーワード履歴情報７００は、過去に記録や視聴あるいは再生されたコンテンツデータの記録履歴や視聴履歴あるいは再生履歴に基づいた情報である。このキーワード履歴情報７００は、例えば図５に示すように、キーワード情報７１０と、関連キーワード情報７２０と、頻度情報７３０と、優先度情報７４０などが１つのデータ構造として関連付けられて複数備えたデータ構造に構成されている。
【００５２】
キーワード情報７１０は、入力手段２６０によりテレビ放送番組の記録や視聴あるいは再生を実施させるために設定入力されるジャンルやキーワードなどの文字列でテレビ放送番組を特定するための内容に対応するキーワードに関する情報である。このキーワード情報７１０は、あらかじめメモリ２８０に記憶されて設定されたもの、利用者による入力設定、ネットワークなどを介して取得したもの、番組情報４１０から例えば形態素解析により抽出したキーワード、過去に記録や視聴あるいは再生の実施を要求するためにキーワードとして入力設定されたものなどが例示できる。
【００５３】
関連キーワード情報７２０は、キーワードに関連する関連キーワードの文字列の情報である。この関連キーワードは、キーワードに対して同義語、称呼、略語、正式名、連想される語句、関連する地域や場所あるいは建造物さらには気候などに関する語句などである。例えば、「ＳＭＡＤ」であれば、称呼である「スマッド」、構成人員である「木村達也」や「香取慎六」など、さらには連想される語句となる代表人員である「木村達也」に対する「キムタツ」、「ＳＭＡＤ」が出演する番組の名称である「ＳＭＡＤ×ＳＭＡＤ」、その番組のジャンルである「バラエティ」など、「プロ野球」であれば、出場チーム名やその称呼あるいは略語や正式名などである「ヤタルト」、「スパローズ」、「拒人」など、試合場所である「神宮」や「京浜ドーム」など、ジャンルや連想される語句である「ニュース」などである。この関連キーワード情報７２０は、キーワード情報７１０と同様、あらかじめメモリ２８０に記憶されて設定されたもの、利用者による入力設定、ネットワークなどを介して取得したもの、キーワードを含む番組情報４１０から例えば形態素解析により抽出した語句などが例示できる。過去に記録や視聴あるいは再生が実施された番組に対応する番組情報４１０から抽出した語句などが例示できる。なお、連想される語句としては、アンケート調査結果などに基づいてキーワードに対して連想された語句などが例示できる。関連付けられるいずれの語句を対象とすることができる。
【００５４】
頻度情報７３０は、関連キーワード情報７２０の番組情報４１０に出現する頻度である出現頻度に関する情報で、対応する関連キーワード情報７２０に関連付けられている。この頻度情報７３０は、利用者により過去に各テレビ放送番組のコンテンツデータの記録や視聴あるいは再生などの処理の履歴に基づき、処理されたコンテンツデータに対応する番組情報４１０中の関連キーワードの出現頻度である。具体的には、処理の要求時に利用者により設定入力されたキーワードを含む番組情報４１０に出現する関連キーワードの頻度、すなわちキーワードとの組み合わせて出現する回数や出現する数に関する情報で、ＣＰＵ２９０の処理により演算すなわちカウントされる。なお、記録履歴、視聴履歴および再生履歴の全てに基づく場合に限らず、いずれか１つあるいはいずれかとの組み合わせに基づいて演算してもよい。また、キーワードとの組み合わせでの出現頻度に限らず、単に関連キーワードの出現頻度であってもよい。
【００５５】
優先度情報７４０は、頻度情報７３０に基づいて関連キーワード情報７２０の優先度に関する情報で、対応する関連キーワード情報７２０に関連付けられている。具体的には、ＣＰＵ２９０の演算により、対応する関連キーワードの出現頻度が高くなるに従って優先度が高くなる状態に、例えば「高」、「中」、「低」の３段階に設定、すなわちあらかじめ設定された閾値に基づいてＣＰＵ２９０により設定される。なお、３段階の設定に限らず、出現頻度の値を優先度としたり、出現頻度の値に基づいて重み付けであるスコア付けをしたりするなどが例示できる。また、演算により優先度を生成する構成の他、例えばアンケート調査結果に基づいてその関連キーワードの優先度があらかじめ設定、利用者により入力設定、ネットワークなどを介して取得するなどしてもよい。
【００５６】
ＣＰＵ２９０は、各種構成が接続され、各構成の動作を制御する。このＣＰＵ２９０は、例えば図５に示すように、各種プログラムとして、要求情報取得手段２９１と、関連キーワード取得手段２９２と、優先度情報取得手段２９３と、内容情報検索手段２９４と、報知制御手段２９５と、情報取得制御手段２９６と、再生制御手段２９７と、計時手段２９８と、などを備えている。
【００５７】
要求情報取得手段２９１は、入力手段２６０における所定の入力操作で設定入力された要求情報を取得する。この要求情報は、所定の内容であるジャンルやキーワードに対応したコンテンツデータを通信手段２１０にて受信して取得、例えば記録あるいは視聴または再生である出力させる要求に関する情報、さらには、ＨＤＤ２７０に記憶されているコンテンツデータを削除させる要求に関する情報である。すなわち、要求情報は、ジャンルやキーワードなどのテレビ放送番組やコンテンツデータを特定するための図示しない特定情報を備えている。また、要求情報取得手段２９１は、特定情報に基づいて手動録画か自動録画かを認識する。具体的には、ジャンルやキーワードに基づいて自動録画を要求する旨か、テレビ放送番組が特定されてその特定されたテレビ放送番組のコンテンツデータを録画する手動録画を要求する旨かを認識する。なお、手動録画あるいは自動録画である旨の情報を直接有した構成とするなどしてもよい。
【００５８】
関連キーワード取得手段２９２は、要求情報取得手段２９１で取得した要求情報の特定情報に含まれるキーワード情報７１０のキーワードに関連する関連キーワードに関する関連キーワード情報７２０を取得する。すなわち、関連キーワード取得手段２９２は、キーワード履歴情報７００に基づいて、特定情報のキーワード情報７１０に関連付けられた関連キーワード情報７２０を検索して取得する。この取得した関連キーワード情報７２０は、メモリ２８０などに適宜記憶される。また、関連キーワード取得手段２９２は、キーワード情報７１０のキーワードを含む番組情報４１０を番組情報テーブル４００から読み取り、その番組情報４１０に含まれるキーワードを例えば形態素解析などにより抽出し、関連キーワード情報７２０を生成し、キーワード情報７１０に関連付けてキーワード履歴情報７００に適宜記録すなわちリストアップさせる処理をする。なお、関連キーワード取得手段２９２は、キーワード情報７１０を含む番組情報４１０から関連キーワードを抽出する構成に限らず、例えばキーワードとキーワード履歴情報７００から読み取った関連する関連キーワードとを含む番組情報４１０を読み取って、この番組情報４１０からキーワードを抽出し、この抽出したキーワードを関連キーワードとしてキーワード履歴情報７００に適宜リストアップさせる処理をするなどしてもよい。さらに、関連キーワード取得手段２９２は、あらかじめ設定された取得する関連キーワードの数、あるいは利用者による設定入力にて特定情報に記述された取得する数などの制限がある場合、キーワード履歴情報７００の関連キーワード情報７２０に関連付けられた優先度に基づいて絞り込み、すなわち優先度が高い順に関連キーワード情報７２０を取得してもよい。さらには、後述する報知制御手段２９５により、取得した関連キーワードを表示部３２０に一覧表示させ、入力手段２６０による入力操作にて選択された関連キーワード情報７２０を選出してもよい。なお、絞り込みの制限が最も強い場合には、キーワードと同一の関連キーワードに特定、すなわち取得する関連キーワード情報７２０が０となり、キーワードのみを含む番組情報４１０が内容情報検索手段２９４で検索されることとなる。
【００５９】
優先度情報取得手段２９３は、関連キーワード取得手段２９２で取得した関連キーワード情報７２０における関連キーワードの優先度に関する優先度情報を取得する。具体的には、優先度情報取得手段２９３は、キーワード履歴情報７００に基づいて、関連キーワード情報７２０に関連付けられた優先度情報７４０を取得する。また、優先度情報取得手段２９３は、関連キーワード情報７２０の優先度を演算して優先度情報を生成し、キーワード履歴情報７００に記録すなわち関連キーワード情報７２０に関連付けてリストアップさせる処理をする。すなわち、優先度情報取得手段２９３は、ワード頻度演算手段２９３Ａと、優先度調整手段としても機能する優先度設定手段２９３Ｂと、などを備えている。
【００６０】
ワード頻度演算手段２９３Ａは、関連キーワード取得手段２９２にて番組情報４１０から関連キーワード情報７２０を抽出した際にその関連キーワードの出現頻度に関する頻度情報を演算する。記録履歴や視聴履歴、再生履歴などのコンテンツデータの処理履歴に基づくキーワードと関連キーワードとの組み合わせの出現頻度を演算する。具体的には、ワード頻度演算手段２９３Ａは、関連キーワード取得手段２９２にて抽出した関連キーワード情報７２０をキーワード情報７１０に関連付けてキーワード履歴情報７００に記録する際、そのキーワード情報７１０および関連キーワード情報７２０との組み合わせが既に記録されている場合には、頻度情報７３０における頻度を増大させる演算、例えば「１」加算した値を設定し、記憶されていない場合にキーワード情報７１０にその関連キーワード情報７２０が関連付けられて記録される際に、頻度を演算、例えば「１」を設定する処理をする。なお、このような演算方法に限られない。
【００６１】
優先度設定手段２９３Ｂは、頻度情報７３０に基づいて優先度を設定する。すなわち、上述したように、頻度情報７３０におけるキーワードおよび関連キーワードの組み合わせの出現頻度が高くなるに従って優先度が高くなる状態に、例えば「高」、「中」、「低」の３段階にあらかじめ設定された閾値に基づいて、頻度情報７３０の値に応じて設定する。この設定した優先度情報は、キーワード履歴情報７００に適宜記録、すなわち更新される。なお、この優先度の設定は、例えば頻度情報７３０の変更頻度を認識して変更される頻度が高いと判断した場合には、別途スコアを増大させるなどの処理をして、優先度が比較的に高くなりやすいように設定するなどしてもよい。さらに、優先度設定手段２９３Ｂは、キーワードおよび関連キーワードの組み合わせの頻度が所定時間、例えば数年以上変更されない場合、設定した優先度を低くする設定をする。例えば、計時する現在日時と、頻度情報７３０に関連付けられた図示しない最終演算日時に関する情報に基づいて計時する現在日時により頻度の変更状況を判断し、所定期間変更されていないと判断することにより優先度の設定を変更する処理をする。また、後述するが、ＨＤＤ２７０から既に記憶されているコンテンツデータを削除した場合には、そのコンテンツデータに対応する番組情報４１０に基づいて、あるいは、そのコンテンツデータを取得する際に利用したキーワードおよび関連キーワードの組み合わせを認識して、優先度を低減する設定をしてもよい。なお、これらの演算方法に限られない。また、キーワード履歴情報７００に基づいて優先度を取得して説明したが、キーワード履歴情報７００を利用せず、すなわち履歴に基づくことなく、要求情報のキーワードに基づいて抽出した番組情報４１０から関連キーワードを抽出し、関連キーワードの出現頻度から利用者による要求毎に優先度を演算するなどしてもよい。
【００６２】
内容情報検索手段２９４は、優先度情報取得手段２９３で取得した優先度情報７４０に基づいて、要求情報取得手段２９１で取得した要求情報に含まれるキーワード情報７１０のキーワード、および、関連キーワード取得手段２９２で取得した関連キーワード情報７２０の関連キーワードを含む番組情報４１０を、優先度に応じて検索する。すなわち、内容情報検索手段２９４は、内容優先度演算手段２９４Ａと、内容情報選出手段２９４Ｂと、などを備えている。
【００６３】
内容優先度演算手段２９４Ａは、キーワードおよび関連キーワードを含む番組情報４１０を検索し、検出した各番組情報４１０の優先度を優先度情報に基づいて演算して内容優先度情報を演算する。この演算としては、例えば番組情報４１０に含まれるキーワードを抽出し、この抽出したキーワードの組み合わせを作成する。そして、キーワード履歴情報７００に基づいて、作成したキーワードの組み合わせと同一となるキーワードおよび関連キーワードの組み合わせを検索し、検出したキーワードおよび関連キーワードの組み合わせに関連付けられている頻度情報７３０あるいは優先度情報７４０を読み取る。読み取った各頻度情報７３０の数値や優先度情報７４０の優先度の平均と、番組情報４１０の検索の際のキーワードおよび関連キーワードの組み合わせの優先度に関連付けられた頻度情報７３０の数値や優先度情報７４０の優先度とを乗算し、得られたスコア値を内容優先度とする。なお、優先度と同様にあらかじめ設定された閾値に基づいて数段階に設定したり、頻度情報７３０の平均を演算せず、単に番組情報４１０の検索時のキーワードおよび関連キーワードの組み合わせの優先度をそのまま内容優先度とするなど、いずれの演算方法が利用できる。
【００６４】
内容情報選出手段２９４Ｂは、内容優先度演算手段２９４Ａにより演算した各番組情報４１０の内容優先度情報に基づいて、いずれかの番組情報４１０を選出、すなわち絞り込み処理をする。例えば、内容優先度情報のスコア値が大きい順に、あらかじめ設定された所定数の番組情報４１０を選出する。なお、１つのみ選出してもよい。また、内容情報選出手段２９４Ｂは、選出した番組情報４１０の配信される時間に関する配信時間情報に基づいて、内容優先度情報に基づいてさらに選択する。すなわち、内容情報選出手段２９４Ｂは、配信時間認識手段２９４Ｂ１と、判定手段２９４Ｂ２と、内容情報選択手段２９４Ｂ３と、などを備えている。
【００６５】
配信時間認識手段２９４Ｂ１は、選出した番組情報４１０の配信時間情報、すなわち放送される時間帯に関する情報である番組開始時刻情報４３２および番組終了時刻情報４３３を読み取る。判定手段２９４Ｂ２は、読み取った各番組情報４１０の番組開始時刻情報４３２および番組終了時刻情報４３３に基づいて、選出した番組情報４１０の重畳状況である時間帯の重なり状態を判定し、放映時間が重なる番組情報４１０を選出する。内容情報選択手段２９４Ｂ３は、判定手段２９４Ｂ２で選出した番組情報４１０の内容優先度情報を認識し、優先度が高い方の番組情報４１０を選択する。
【００６６】
このようにして、内容情報選出手段２９４Ｂは、時間帯が重ならない番組情報４１０を選出する。なお、内容情報検索手段２９４は、内容優先度情報に基づいて番組情報４１０を選出する前に、放映時間の重畳状況を認識してあらかじめ絞り込みした後に選出したり、内容優先度情報を演算することなく重畳する番組情報４１０の選出を優先度が高い関連キーワードを含む番組情報４１０を優先して選出したりするなど、優先度に基づいていずれの方法で番組情報４１０を選出してもよい。さらには、キーワードおよび関連キーワードを含む番組情報４１０を選出し、単に内容優先度情報を演算して関連付けておく処理のみを実施するなどしてもよい。また、キーワードおよび関連キーワードの双方を含む番組情報４１０を検索する構成としたが、それらの少なくともいずれか１つを含む番組情報４１０を検索する構成とすることができる。
【００６７】
報知制御手段２９５は、内容情報検索手段２９４で検出した番組情報４１０を、入力手段２６０で適宜選択可能に出力装置３００の表示部３２０で一覧表示させる処理をする。すなわち、番組情報４１０を一覧表示させるための一覧表示画面情報を生成し、ＯＳＤ２４０を制御するなどして適宜表示部３２０に一覧表示画面情報を表示させる。この一覧表示は、例えば放映される時間に関する情報や番組のタイトルなどがリストアップされた状態である。なお、検出条件となるキーワードおよび関連キーワードが併記された状態や、優先度、内容優先度などが併記された状態、あるいは内容優先度に応じて一覧表示にリストアップされるタイトルが異なる色や輝度、点滅状態などの異なる表示形態で表示される状態としてもよい。そして、報知制御手段２９５は、入力手段２６０による入力操作にて所定の番組情報４１０が選択されたことを認識すると、その選出された番組情報４１０を情報取得制御手段２９６で特定可能に所定の信号を情報取得制御手段２９６へ出力する。
【００６８】
情報取得制御手段２９６は、内容情報検索手段２９４で検出した番組情報４１０に基づいて対応するテレビ放送番組を受信させ、適宜記録や視聴可能に処理させる制御をする。すなわち、番組情報４１０に基づいて予約情報５２０を生成する処理をする。また、情報取得制御手段２９６は、報知制御手段２９５で所定の番組情報４１０が選択されたことを認識すると、その番組情報４１０に基づいて予約情報５２０を生成する。なお、予約情報５２０には、対応する番組情報４１０の内容優先度情報が関連付けられる。この予約情報５２０の生成の際、情報取得制御手段２９６は、内容優先度情報に基づいて、あらかじめ設定された数や、特定情報の自動録画予約する数の設定、あるいはＨＤＤ２７０の空き容量などに応じて所定の番組情報４１０を特定、すなわちさらに絞り込み処理をする。具体的には、情報取得制御手段２９６は、記憶可能領域認識手段２９６Ａと、内容情報特定手段２９６Ｂと、などを備えている。
【００６９】
記憶可能領域認識手段２９６Ａは、ＨＤＤ２７０のコンテンツ情報を記憶する記憶領域である図示しないデータ記憶領域の記憶可能領域である空き領域の大きさ、すなわち空き容量を認識する。内容情報特定手段２９６Ｂは、検出した番組情報４１０に基づいて記録するコンテンツデータの大きさを認識する。そして、内容情報特定手段２９６Ｂは、記憶可能領域認識手段２９６Ａで認識した空き容量の大きさに応じて、番組情報４１０のいずれかを内容優先度情報に基づいて特定する。具体的には、全ての番組情報４１０に対応するコンテンツデータをＨＤＤ２７０に記憶しても、所定の空き容量が確保される場合には、全ての番組情報４１０が特定され、十分な空き容量が確保できなくなると、内容優先度が高い番組情報４１０を特定する。この所定の空き容量としては、例えば手動録画の要求に応じて数番組分が記憶できる領域である。また、内容優先度の高い番組情報４１０の特定としては、内容優先度が高い順に所定の空き容量が確保できなくなるまで特定したり、手動録画要求の状況や既に手動録画予約されている状況などにも基づいて特定するなどしてもよい。
【００７０】
また、情報取得制御手段２９６は、複数検出した番組情報４１０において、内容優先度が高い順にあらかじめ設定された数や設定入力された数に絞り込む。なお、数による絞り込み、空き容量による絞り込みは、いずれかの処理のみ、あるいは複合処理してもよく、絞り込み処理しなくてもよい。このようにして特定された番組情報４１０に基づいて、情報取得制御手段２９６は予約情報５２０を生成する。
【００７１】
そして、情報取得制御手段２９６は、生成した予約情報５２０に基づいて、ＮＩＭ２１１、Ｄｅｍｕｘ２２０、記録再生処理手段２５０の記録部２５１などの動作を制御して、所望のテレビ放送番組のコンテンツデータを受信してＨＤＤ２７０に適宜読み出し可能に記憶させる処理をする。具体的には、入力手段２６０における入力操作に基づく操作信号により現在受信して再生しているコンテンツデータを記憶、あるいは、録画予約リスト情報５００に基づいて後述する計時手段２９８で計時する現在時刻が予約情報５２０における録画基本情報５２１の録画開始日時となるコンテンツデータを受信させて記憶させる処理をする。なお、この記録されたコンテンツデータに内容優先度情報を関連付けておく。
【００７２】
また、情報取得制御手段２９６は、記憶可能領域認識手段２９６Ａで認識するＨＤＤ２７０の空き容量に基づいて、例えば手動録画要求が複数設定されて、空き容量が確保できなくなるなど、空き容量が十分に確保されず少なくなるに従って、予約情報５２０に関連付けられた内容優先度情報の優先度が低い予約情報５２０は、削除あるいは空き容量が回復するまで録画させない旨のフラグ情報を付与するなどの処理をしてもよい。さらに、情報取得制御手段２９６は、空き容量が少なくなるに従って、既に記憶されているコンテンツデータに関連付けられた内容優先度情報に基づいて、優先度が低いコンテンツデータを自動削除して、空き容量を確保してもよい。なお、これら予約情報５２０の削除やフラグ情報の付与の処理、さらにはコンテンツデータの削除は、キーワードに基づく自動録画要求に対応する予約情報やコンテンツデータを対象とする。このことにより、利用者が直接設定した嗜好性が強い手動録画予約やコンテンツデータは確保され、適切なコンテンツデータの記録が確保される。
【００７３】
再生制御手段２９７は、Ｄｅｍｕｘ２２０、デコーダ２３０、記録再生処理手段２５０の再生部２５２などの動作を制御して、所望のコンテンツデータを出力装置３００へ出力して再生させる処理をする。具体的には、入力手段２６０における入力操作に基づく操作信号により特定、例えば出力装置３００で一覧表示されるサムネイルを選択する入力操作などにて特定されたコンテンツデータ、あるいは、いわゆるタイマ再生などあらかじめ所定時間に再生要求されているコンテンツデータをＨＤＤ２７０から読み出し、デコーダ２３０で適宜処理して出力装置３００へ出力する。
【００７４】
計時手段２９８は、例えば内部クロックなどの基準パルスに基づいて現在時刻を計時し、現在時刻情報を生成する。
【００７５】
〔コンテンツ記録再生システムの動作〕
次に、上記記録再生システム１００の動作において、優先度を設定する処理について、図面を参照して説明する。なお、録画要求における演算処理で同時処理により優先度を演算する処理を例示するが、これに限らない。図７は、録画予約処理の動作を示すフローチャートである。
【００７６】
記録再生装置２００のＣＰＵ２９０は、要求情報取得手段２９１により、入力手段２６０における利用者による入力操作により、所定のテレビ放送番組のコンテンツデータについて取得すなわち録画を要求する旨の要求情報である録画要求情報が設定入力されたか否かを判断する（ステップＳ１０１）。すなちわ、ＣＰＵ２９０は、要求情報の設定入力の待機状態となっている。そして、要求情報取得手段２９１が録画要求情報を取得すると、要求情報取得手段２９１は、録画要求情報の特定情報を認識し（ステップＳ１０２）、特定情報からキーワード情報７１０を抽出する（ステップＳ１０３）。
【００７７】
このステップＳ１０３の後、ＣＰＵ２９０は、関連キーワード取得手段２９２により、ステップＳ１０３で取得したキーワード情報７１０に関連する関連キーワード情報７２０を取得する（ステップＳ１０４）。すなわち、関連キーワード取得手段２９２は、キーワード履歴情報７００に基づいて、ステップＳ１０３で取得したキーワード情報７１０に関連する関連キーワード情報７２０を読み取る。そして、ＣＰＵ２９０は、内容情報検索手段２９４により、キーワード情報７１０および関連キーワード情報７２０を含む番組情報４１０を番組情報テーブル４００から検索する（ステップＳ１０５）。
【００７８】
すなわち、内容情報検索手段２９４は、内容優先度演算手段２９４Ａにより、キーワード情報７１０および関連キーワード情報７２０を含む番組情報４１０を検索し、検出した番組情報４１０からキーワードを抽出して組み合わせ、このキーワードの組み合わせと同一のキーワードおよび関連キーワードの組み合わせに対応する頻度情報７３０あるいは優先度情報７４０を読み取る。そして、頻度情報７３０や優先度情報７４０に基づいて、検出した各番組情報４１０の優先度である内容優先度を演算する（ステップＳ１０６）。そして、内容情報選出手段２９４Ｂにより、演算した内容優先度情報に基づいて、あらかじめ設定された所定数に内容優先度が高い順に番組情報４１０を選出する（ステップＳ１０７）。
【００７９】
このステップＳ１０７で検出・選出した番組情報４１０に基づいて、情報取得制御手段２９６により予約情報５２０を生成させる（ステップＳ１０８）。そして、情報取得制御手段２９６は、記憶可能領域認識手段２９６ＡによりＨＤＤ２７０の空き容量を適宜監視しつつ、予約情報５２０に従ってテレビ放送番組を受信させ、コンテンツデータを取得してＨＤＤ２７０に記憶させる処理をする。
【００８０】
また、ＣＰＵ２９０は、ステップＳ１０７で検出・選出した番組情報４１０から、関連キーワードの優先度を演算する処理をする（ステップＳ１０９）。すなわち、関連キーワード取得手段２９２により、形態素解析などにてキーワードを抽出する。そして、抽出したキーワードを、要求情報の特定情報から取得したキーワード情報７１０のキーワードに関連する関連キーワード情報７２０として生成させ、キーワード履歴情報７００にリストアップする処理をする。そして、このリストアップの際、優先度情報取得手段２９３のワード頻度演算手段２９３Ａにて、キーワードと関連キーワードとの組み合わせの出現頻度を演算して頻度情報７３０を更新する。さらに、優先度情報取得手段２９３の優先度設定手段２９３Ｂにて、頻度情報７３０に基づいて優先度を演算し、優先度情報７４０を更新する処理をして、処理が終了する。
【００８１】
〔コンテンツ記録再生システムの作用効果〕
上述したように、上記実施の形態では、通信手段２１０にて所定の内容に関わるテレビ放送番組のコンテンツデータを受信させる旨の要求情報、例えば録画要求情報を要求情報取得手段２９１にて取得すると、要求情報に含まれるキーワード情報７１０のキーワードに関連する関連キーワードに関する関連キーワード情報７２０を、キーワード履歴情報７００から取得し、キーワードおよび関連キーワードを含む番組情報４１０のうち、関連キーワード情報７２０に関連付けられた優先度情報７４０の優先度に応じた番組情報４１０を検索し、検出した番組情報４１０に基づいてコンテンツデータを受信させる処理をしている。このため、受信漏れを防止するためのキーワードに関連する関連キーワードの優先度を設定しているので、関連キーワードにて検索される番組情報４１０が、キーワードに優先度に従った内容が検出されることとなり、不用意に番組情報４１０が検索されることによる不都合を防止できる。すなわち、キーワードに関連する関連キーワードでもその関連キーワードにより検出される番組情報４１０の内容がキーワードに対して関連が低くなり、利用者が意としない不用意な番組情報４１０までも検索されて多大となり、多数の番組情報４１０に基づいて受信させる処理が煩雑となり、処理効率が低下したり、ＨＤＤ２７０の記録領域が不要に消費されたり、録画されたコンテンツデータから所望のコンテンツデータを選出する作業が煩雑となったり、するなどの不都合を防止できる。従って、適切に検出した番組情報４１０に基づいて適切にコンテンツデータを取得できる。特に、ＥＰＧデータを利用するテレビ放送番組のコンテンツデータを取得する構成において、キーワードおよび関連キーワードに基づいて所望のコンテンツデータを取得する場合に有効である。
【００８２】
そして、キーワード情報７１０に関連付けられた関連する関連キーワード情報７２０を１つのデータ構造として複数記録されてテーブル構造を構成するキーワード履歴情報７００に基づいて、キーワード情報７１０に関連する関連キーワード情報７２０を取得している。このため、関連キーワード情報７２０を迅速かつ容易に簡単なテーブル構造で取得できる。さらには、優先度を演算するためにキーワードと関連キーワードとの組み合わせにおける出現頻度を演算して履歴として、キーワードおよび関連キーワードの組み合わせのキーワード履歴情報７００を利用できる。したがって、適切なコンテンツデータを取得させるために適切に番組情報４１０を取得するためのデータ構造を簡素化でき、構成の簡略化が容易に得られる。そして、履歴となる出現頻度の演算にて得られる頻度情報７３０から演算される優先度情報をキーワード履歴情報７００として関連付けて１つのテーブル構造に構築することも容易にでき、構成のより簡略化が得られるとともに、あらかじめ優先度を演算あるいは設定された優先度をキーワード履歴情報７００から容易に読み出しでき、処理の高速化も容易に得られる。
【００８３】
また、キーワードを含む番組情報４１０から抽出したキーワードを関連キーワードとして抽出している。このため、キーワードと比較的に高い関連性の関連キーワードが容易に得られる。さらに、単にキーワードを含む番組情報４１０から抽出するのみならず、キーワードと組み合わせた履歴から出現頻度を演算している。このため、キーワードに対する関連性が優先度として表れた関連キーワードが得られ、適切な関連キーワードをも検索対象とした番組情報４１０の適切な選出が得られる。したがって、適切にコンテンツデータを取得させることができる。さらに、履歴として出現頻度を演算して得られた頻度情報７３０に基づいて優先度を演算している。このため、容易に優先度を演算でき、処理効率の向上やデータ構造の構築が容易にできるとともに、容易な演算で適切な優先度が容易に得られる。また、録画予約にリストアップさせる予約情報５２０に対応する番組情報４１０からキーワードおよび関連キーワードの組み合わせを抽出し、優先度に反映させている。したがって、より利用者の所望するコンテンツデータを取得するための番組情報４１０を選出させる適切な優先度が容易に得られる。
【００８４】
そして、キーワードとキーワード履歴情報７００から読み取った関連する関連キーワードとを含む番組情報４１０を読み取って、この番組情報４１０からキーワードを抽出し、この抽出したキーワードを関連キーワードとしてキーワード履歴情報７００に適宜リストアップさせる処理をしている。このため、不用意にキーワードに関連キーワードが関連付けられることが防止され、頻度情報７３０に基づくユーザ嗜好により沿った適切な優先度が得られ、適切にコンテンツ情報を取得できる。さらには、キーワードと関連キーワードとの組み合わせでの出現頻度に基づいて優先度を演算している。このため、単に関連キーワードにおける優先度のみならず、組み合わせで出現頻度を演算しているので、例えばキーワードが異なるものに同一の関連キーワードが関連付けられている場合、同じ優先度に設定される不都合がなく、適切に関連キーワードの優先度が得られる。
【００８５】
また、頻度情報７３０が所定期間以上変更しない場合では、優先度を低減させる処理も可能としている。このため、優先度を低減させる処理により、過去と異なる現在の嗜好により対応した適切な内容のコンテンツデータを取得するための番組情報４１０を選定できる。さらに、ＨＤＤ２７０からコンテンツデータが削除された場合についても、優先度を低減させる処理も可能としている。このため、比較的に高い内容優先度で取得したコンテンツデータでも手動により利用者にて削除、あるいは自動録画されても削除された場合には既にそのコンテンツデータは不要であり嗜好に適合していないと判断でき、より適切な内容優先度が得られ、より適切なコンテンツデータの取得が得られる。
【００８６】
そして、関連キーワードの優先度に基づいて検出した番組情報４１０の内容優先度を演算し、この内容優先度に基づいて番組情報４１０を選出している。したがって、より適切な番組情報４１０の取得が容易に得られるとともに、例えばＨＤＤ２７０の空き領域に基づいて受信するコンテンツデータをさらに絞り込み処理したり、ＨＤＤ２７０に既に記録したコンテンツデータを削除させるなどの処理にも利用でき、より適切なコンテンツデータの取得・管理が得られる。
【００８７】
さらに、番組情報４１０の検索の際、放送時間を認識して放送時間帯が重なるテレビ放送番組は優先度に基づいて得られた内容優先度に基づいて選出している。このため、より適切にコンテンツデータを取得するための番組情報４１０を適切に検出できる。
【００８８】
そして、検出した番組情報４１０を利用者に確認可能に表示部３２０で選択可能に一覧表示させ、選択された番組情報４１０をさらに選出している。このため、より利用者の所望するテレビ放送番組のコンテンツデータを取得させるための適切な番組情報４１０を取得できる。
【００８９】
〔実施の形態の変形例〕
なお、本発明は、上述した各実施の形態に限定されるものではなく、本発明の目的を達成できる範囲で以下に示される変形をも含むものである。
【００９０】
すなわち、上述したように、情報処理装置を備えた記録再生装置２００にコンテンツデータを出力する出力装置３００を接続したシステム構成について説明したが、情報を記録するのみの記録装置としたり、情報を記録装置や記録再生装置に記録させる処理をする情報処理装置を独立した装置構成としたり、記録する構成を備えないテレビジョンなどの受信機などで情報の取得である受信を制御する情報処理装置などとしても適用できる。
【００９１】
また、取得する情報としては、テレビ放送番組に限らず、ラジオ放送番組、衛星放送番組、配信される音楽や映像などのコンテンツ、ゲームソフトウェアなどの各種プログラムなどをも対象とすることができる。なお、他の情報を対象とする場合には、それらを取得するためにその情報の内容に関する内容情報、例えばアプリケーションソフトウェアの場合には、そのソフトウェアをダウンロードして記録するためにその内容が開示された内容情報に基づいて関連キーワードを取得する構成とすればよい。
【００９２】
そして、キーワードに関連する関連キーワードを読み取り、キーワードおよび関連キーワードを含む番組情報４１０を検索してその番組情報４１０の内容優先度を演算し、その後に検索した番組情報４１０から関連キーワードを抽出して優先度を演算して説明したが、キーワードを取得してこのキーワードを含む番組情報４１０から関連キーワードを抽出して優先度を先に演算した後に番組情報４１０を検索して内容優先度を演算したり、キーワードおよび関連キーワードから抽出した番組情報４１０から関連キーワードを抽出して優先度を先に演算した後に内容優先度を演算したりするなど、あらかじめ優先度が設定されている場合には優先度の演算および内容優先度情報の演算の順番は逆となってもよい。
【００９３】
なお、先に内容優先度情報を演算することにより、迅速に適切な予約情報５２０が生成でき、適切なコンテンツ情報の取得が迅速に得られる。一方、先に優先度を演算あるいは優先度を更新してから内容優先度情報を演算することにより、より利用者の嗜好に沿ったコンテンツ情報の取得が得られる。
【００９４】
また、履歴として、上述したように、キーワードを含む番組情報４１０から関連キーワードを抽出してもよい。この構成によれば、キーワードに幅広く関連キーワードが関連付けられ、キーワードおよび関連キーワードに基づいて検索する番組情報４１０の検索漏れを防止できる。
【００９５】
さらに、関連キーワードの抽出として、内容情報検索手段２９４にて番組情報４１０を検索するためのキーワードおよび関連キーワードを含む番組情報４１０から抽出したり、上述した情報取得制御手段にて特定し予約情報５２０を生成させる番組情報４１０から抽出したり、キーワードを含む番組情報４１０から抽出するなど、いずれの方法が適用できる。なお、上述したように、番組情報４１０が検索、選出、特定などにて得られた番組情報４１０に基づいて抽出することにより、別途番組情報４１０を検索する必要がなく、処理効率の向上による迅速化や構成の簡略化などが容易に図れる。一方、別途番組情報４１０を検索する構成によれば、優先度や内容優先度の演算処理と予約情報５２０の生成処理とを平行して実施可能となり、並行処理による効率化が図れる。
【００９６】
また、キーワードに関連する関連キーワードの優先度として、録画要求におけるキーワードとの関連性で優先度を演算し、この優先度に基づいて番組の内容優先度を演算して説明したが、例えば再生されるコンテンツデータの対応する番組情報４１０からキーワードを抽出して、内容優先度演算手段２９４Ａのように、キーワードを組み合わせて互いがキーワードおよび関連キーワードの関係として頻度情報７３０を演算し、優先度を演算するなどしてもよい。さらには、記録要求のみならず、視聴要求の対象とするテレビ放送番組の番組情報４１０に基づいて優先度を演算するなどしてもよい。このような構成によれば、視聴要求の場合と同様に、直接利用者の嗜好が反映されたコンテンツデータに基づく関連キーワードの優先度が得られるので、ユーザ嗜好に沿ったより適切なコンテンツデータの取得が得られる。
【００９７】
そして、関連キーワードの抽出として、形態素解析により検索する方法に限らず、例えば文字列の同一性に基づいて検索するなど、いずれの方法が利用できる。
【００９８】
さらに、録画要求、視聴要求、再生要求のそれぞれについて履歴として出現頻度を演算したが、上述したように、いずれか１つのみ、あるいはいずれかとの組み合わせなどで頻度を演算するなどしてもよい。特に、上述したように、ユーザ嗜好が直接関係する視聴や再生要求に基づいて頻度を演算することにより、より適切なユーザ嗜好に応じた情報の取得が得られる。
【００９９】
そして、上述した各機能をプログラムとして構築したが、上述したように、例えば回路基板などのハードウェアあるいは１つのＩＣなどの素子にて構成するなどしてもよく、いずれの形態としても利用できる。なお、プログラムや別途記録媒体から読み取らせる構成とすることにより、取扱が容易で、コンピュータなどの演算手段を情報処理装置（ＣＰＵ）や記録再生装置２００などとして機能させることも用意にでき、利用の拡大が容易に図れる。
【０１００】
その他、本発明の実施の際の具体的な構造および手順は、本発明の目的を達成できる範囲で他の構造などに適宜変更できる。
【０１０１】
〔実施の形態の効果〕
上述したように、上記実施の形態では、通信手段２１０にて所定の内容に関わるテレビ放送番組のコンテンツデータを受信させる旨の要求情報に含まれるキーワードに関連する関連キーワードを取得し、キーワードおよび関連キーワードの少なくともいずれか１つを含む番組情報４１０のうち、関連キーワードに関連付けられた優先度に応じた番組情報４１０を検索している。このため、受信漏れを防止するためのキーワードに関連する関連キーワードの優先度を設定しているので、関連キーワードにて検索される番組情報４１０がキーワードに優先度に従った内容が検出されることとなり、不用意に番組情報４１０が検索されることによる不都合を防止でき、適切なコンテンツデータを取得させる制御が容易に得られる。
【図面の簡単な説明】
【０１０２】
【図１】本発明の情報記憶装置における本実施の形態に係る記録再生システムの概略構成を示すブロック図である。
【図２】本実施の形態における番組情報テーブルの概略構成を示す模式図である。
【図３】本実施の形態における録画予約リスト情報の概略構成を示す模式図である。
【図４】本発明の形態におけるコンテンツ管理リスト情報の概略構成を示す模式図である。
【図５】本発明の形態におけるキーワード履歴情報の概略構成を示す模式図である。
【図６】本実施の形態におけるＣＰＵの概略構成を示す模式図である。
【図７】本実施の形態における録画予約処理の動作を示すフローチャートである。
【符号の説明】
【０１０３】
２００      情報記憶装置としての記録再生装置
２１０      関連キーワード取得手段および優先度情報取得手段としても機能し得る情報取得手段としての通信手段
２７０      記憶手段としてのハードディスク（ＨＤＤ）
２９０      演算手段としての情報処理装置であるＣＰＵ
２９１      要求情報取得手段
２９２      関連キーワード取得手段
２９３      優先度情報取得手段
２９３Ａ    ワード頻度演算手段
２９３Ｂ    優先度設定手段
２９４      内容情報検索手段
２９４Ａ    内容優先度演算手段
２９４Ｂ    内容情報選出手段
２９４Ｂ１  配信時間認識手段
２９４Ｂ２  判定手段
２９４Ｂ３  内容情報選択手段
２９５      報知制御手段
２９６      情報取得制御手段
２９６Ａ    記憶可能領域認識手段
２９６Ｂ    内容情報特定手段
３００      情報処理手段としての出力装置
４１０      内容情報でもある番組情報
７１０      キーワード情報
７２０      関連キーワード情報
７３０      頻度情報
７４０      優先度情報
【図１】
2005348071.tif 000003
【図２】
2005348071.tif 000004
【図３】
2005348071.tif 000005
【図４】
2005348071.tif 000006
【図５】
2005348071.tif 000007
【図６】
2005348071.tif 000008
【図７】
2005348071.tif 000009